(57)【要約】【課題】手のひらを使用者自身の方に向けた状態で理美容用鋏を持つ場合において、使用者の疲労を軽減できる理美容用鋏及びその製造方法を提供する。【解決手段】鋏１０は、先端側に第１の刃が形成され、基端側に第１の指掛け環２４が形成された第１の鋏片２０と、先端側に第２の刃が形成され、基端側に第２の指掛け環３４が形成された第２の鋏片３０と、各鋏片２０，３０を連結する要５０とを備えている。鋏１０は、第１の刃と第２の刃とが開閉して、第１の刃と第２の刃とによるせん断力によって毛髪を切断する。第１の指掛け環２４と第２の指掛け環３４とは、これらの環状部分の開口部が同じ方向に向けられた状態で同一の所定平面上にあり、第１の刃と第２の刃とによるせん断力が作用する方向に対して、各鋏片２０，３０の長手方向にみて所定平面が所定角度だけ傾斜している。【選択図】      図３
2020054706.tif 000002
【特許請求の範囲】
【請求項１】
長尺形状をなし、先端側に第１の刃が形成され、基端側に第１の指掛け環が形成された第１の鋏片と、
長尺形状をなし、先端側に第２の刃が形成され、基端側に第２の指掛け環が形成された第２の鋏片と、
前記第１の鋏片における前記第１の刃及び前記第１の指掛け環の間と、前記第２の鋏片における前記第２の刃及び前記第２の指掛け環の間とを連結する連結軸部と、
を備え、
前記第１の指掛け環と前記第２の指掛け環とを前記連結軸部を中心に開閉することにより、前記第１の刃と前記第２の刃とが開閉して、前記第１の刃と前記第２の刃とによるせん断力によって毛髪を切断する理美容用鋏において、
前記第１の指掛け環と前記第２の指掛け環とは、これらの環状部分の開口部が同じ方向に向けられた状態で同一の所定平面上にあり、
前記第１の刃と前記第２の刃とによるせん断力が作用する方向に対して、前記各鋏片の長手方向にみて前記所定平面が所定角度だけ傾斜していることを特徴とする理美容用鋏。
【請求項２】
前記各鋏片は、前記連結軸部と前記各指掛け環との間に柄部がそれぞれ形成されており、
前記各柄部が前記長手方向における途中位置において曲げられた曲げ部を備えていることにより、前記所定角度だけ傾斜している、請求項１に記載の理美容用鋏。
【請求項３】
前記各鋏片の前記長手方向における途中位置において、それより先端側とそれより基端側とを一体化するために溶接されてなる溶接部を備え、
前記曲げ部は前記溶接部において形成されている、請求項２に記載の理美容用鋏。
【発明の詳細な説明】
【技術分野】
【０００１】
本発明は、理美容用鋏に関するものである。
【背景技術】
【０００２】
一般に、理美容用鋏は、第１の鋏片、第２の鋏片及び連結軸部を備えている。第１の鋏片は、長尺形状をなし、先端側に第１の刃が形成され、基端側に第１の指掛け環が形成されている部材である。第２の鋏片は、長尺形状をなし、先端側に第２の刃が形成され、基端側に第２の指掛け環が形成されている部材である。連結軸部は、第１の鋏片における第１の刃及び第１の指掛け環の間と、第２の鋏片における第２の刃及び第２の指掛け環の間とを連結する。第１の指掛け環と第２の指掛け環とを連結軸部を中心に開閉することにより、第１の刃と第２の刃とが開閉する。
【０００３】
理容師や美容師等の鋏の使用者は、例えば、第１の指掛け環に親指を掛け、第２の指掛け環に薬指を掛けた状態で、第１の指掛け環及び第２の指掛け環同士を近づけたり、第２の指掛け環に対して第１の指掛け環を離したりするように親指を動かす。これにより、第１の刃と第２の刃とが開閉して、第１の刃と第２の刃とによるせん断力によって毛髪が切断（カット）される。
【０００４】
毛髪をカットする場合における理美容用鋏の持ち方として様々なものがあり、持ち方に合わせて使い勝手を良くした理美容用鋏がある。例えば特許文献１，２には、第１の指掛け環と第２の指掛け環との位置関係が持ち方に合うように調整された理美容用鋏が開示されている。
【先行技術文献】
【特許文献】
【０００５】
【特許文献１】特許第４８８９７０１号公報
【特許文献２】実公昭５０−４３０２６号公報
【発明の概要】
【発明が解決しようとする課題】
【０００６】
毛髪をカットする場合における理美容用鋏の持ち方として、第１の指掛け環に親指を掛け、第２の指掛け環に薬指を掛け、手のひらを使用者自身の方に向けた状態で理美容用鋏を持つ方法がある（図６参照）。この持ち方においては、手のひらを使用者自身の方に向けるために、鋏を持つ手の手首を大きくひねる必要がある。その結果、理美容用鋏の使用者の疲労が増す懸念がある。
【０００７】
本発明は、手のひらを使用者自身の方に向けた状態で理美容用鋏を持つ場合において、使用者の疲労を軽減できる理美容用鋏を提供することを目的とする。
【課題を解決するための手段】
【０００８】
第１の発明は、長尺形状をなし、先端側に第１の刃が形成され、基端側に第１の指掛け環が形成された第１の鋏片と、長尺形状をなし、先端側に第２の刃が形成され、基端側に第２の指掛け環が形成された第２の鋏片と、前記第１の鋏片における前記第１の刃及び前記第１の指掛け環の間と、前記第２の鋏片における前記第２の刃及び前記第２の指掛け環の間とを連結する連結軸部と、を備え、前記第１の指掛け環と前記第２の指掛け環とを前記連結軸部を中心に開閉することにより、前記第１の刃と前記第２の刃とが開閉して、前記第１の刃と前記第２の刃とによるせん断力によって毛髪を切断する理美容用鋏において、前記第１の指掛け環と前記第２の指掛け環とは、これらの環状部分の開口部が同じ方向に向けられた状態で同一の所定平面上にあり、前記第１の刃と前記第２の刃とによるせん断力が作用する方向に対して、前記各鋏片の長手方向にみて前記所定平面が所定角度だけ傾斜していることを特徴とする。
【０００９】
第１の発明では、第１の指掛け環と第２の指掛け環とが、これらの環状部分の開口部が同じ方向に向けられた状態で同一の所定平面上にある。その所定平面は、第１の刃と第２の刃とによるせん断力が作用する方向に対して、各鋏片の長手方向にみて所定角度だけ傾斜している。
【００１０】
この構成によれば、理美容用鋏の使用者が手のひらを自分の方に向けるために手首をひねる場合において、そのひねり量を少なくすることができる。これにより、理美容用鋏の使用者の疲労を軽減することができる。
【００１１】
第１の発明は、第２の発明のように具体化することができる。第２の発明では、前記各鋏片は、前記連結軸部と前記各指掛け環との間に柄部がそれぞれ形成されており、前記各柄部が前記長手方向における途中位置において曲げられた曲げ部を備えていることにより、前記所定角度だけ傾斜している。
【００１２】
第３の発明は、前記各鋏片の前記長手方向における途中位置において、それより先端側とそれより基端側とを一体化するために溶接されてなる溶接部を備え、前記曲げ部は前記溶接部において形成されている。
【００１３】
第３の発明は、各鋏片の上記長手方向における途中位置において、それより先端側とそれより基端側とを一体化するために溶接されてなる溶接部を備え、この溶接部において、上記曲げ部が形成されている。これにより、使用者の疲労を軽減すべく所定平面を所定角度だけ傾斜させる構成を、理美容用鋏を製造するための溶接工程を利用して実現することができる。
【図面の簡単な説明】
【００１４】
【図１】理美容用鋏の正面図。
【図２】理美容用鋏の平面図。
【図３】理美容用鋏の側面図。
【図４】第１，第２の鋏片の正面図。
【図５】第１，第２の刃形成部材及び第１，第２の把持部材の正面図。
【図６】理美容用鋏で毛髪をカットする様子の一例を示す図。
【発明を実施するための形態】
【００１５】
以下、本発明の理美容用鋏を具体化した一実施形態について、図１〜図６を参照しつつ説明する。本実施形態では、使用者の利き手が右手である場合に対応した理美容用鋏を例にして説明する。
【００１６】
鋏１０は、第１の鋏片２０と、第２の鋏片３０とを備えている。各鋏片２０，３０は、長尺形状をなしている。第１の鋏片２０の先端側は、第１の刃２１が形成されて刃先端部とされている。第１の鋏片２０のうちその刃先端部以外の部分は、刃先端部側から順に、第１の連結部２２、第１の柄部２３、第１の指掛け環２４及び第１の小指掛け部２５とされている。
【００１７】
第２の鋏片３０の先端側は、第２の刃３１が形成されて刃先端部とされている。第２の鋏片３０のうちその刃先端部以外の部分は、刃先端部側から順に、第２の連結部３２、第２の柄部３３、第２の指掛け環３４及び第２の小指掛け部３５とされている。本実施形態において、第２の刃３１及び第１の刃２１のそれぞれは、同一の平面上に形成された笹刃である。
【００１８】
本実施形態では、以降、第１の指掛け環２４に使用者の親指が掛けられ、第２の指掛け環３４に使用者の薬指が掛けられる場合について説明する。このため、第１の鋏片２０は動刃体に相当し、第１の刃２１は動刃に相当する。また、第２の鋏片３０は静刃体に相当し、第２の刃３１は静刃に相当する。
【００１９】
第１の小指掛け部２５は、第１の指掛け環２４のうち第１の柄部２３との接続部分とは反対側に設けられている。第２の小指掛け部３５は、第２の指掛け環３４のうち第２の柄部３３との接続部分とは反対側に設けられている。なお、２つの小指掛け部が設けられているのは、第１の指掛け環２４に親指が掛けられ、第２の指掛け環３４に薬指が掛けられる場合と、第２の指掛け環３４に親指が掛けられ、第１の指掛け環２４に薬指が掛けられる場合とに対応するためである。第１の指掛け環２４に親指が掛けられ、第２の指掛け環３４に薬指が掛けられる場合、第１の小指掛け部２５は必須ではない。
【００２０】
鋏１０は、ヒットポイント４０を備えている。ヒットポイント４０は、第１の鋏片２０に設けられている。
【００２１】
第１の鋏片２０において、第１の連結部２２には、第１の貫通孔２６が形成されている。第２の鋏片３０において、第２の連結部３２には、第２の貫通孔３６が形成されている。鋏１０は、連結軸部としての要５０を備えている。要５０は、ピボット及びナット等から構成されている。第１の貫通孔２６及び第２の貫通孔３６にピボットが挿入された状態で、ピボットの先端部にナットが取り付けられている。これにより、要５０の軸心を中心して第２の刃３１に対して第１の刃２１が回転可能とされている。
【００２２】
第１の鋏片２０のうち、長手方向において刃先から第１の貫通孔２６の形成箇所近傍までの領域には、第１の裏すき２７が形成されている。第２の鋏片３０のうち、長手方向において刃先から第２の貫通孔３６の形成箇所近傍までの領域には、第２の裏すき３７が形成されている。
【００２３】
第１の指掛け環２４及び第２の指掛け環３４は円環状をなしている。このため、第１の指掛け環２４及び第２の指掛け環３４それぞれには、輪郭が円形の開口面が形成されている。図２に示すように、第２の指掛け環３４がヒットポイント４０に当接して鋏１０が閉じられた状態において、第１の指掛け環２４の環状部分によって形成された開口面と、第２の指掛け環３４の環状部分によって形成された開口面とは、同じ方向に向けられた状態で同一の所定平面Ｐｏの上にある。
【００２４】
図２に示すように、第１の刃２１と第２の刃３１とによるせん断力が作用する方向Ｐｃに対して、各鋏片２０，３０の長手方向にみて所定平面Ｐｏが所定角度θだけ傾斜している。具体的には、第１の柄部２３が長手方向における途中位置において曲げられた第１曲げ部２３ａを備え、第２の柄部３３が長手方向における途中位置において曲げられた第２曲げ部３３ａを備えていることにより、せん断力が作用する方向Ｐｃに対して所定平面Ｐｏが所定角度θだけ傾斜している。ここで、所定角度θは、５〜６０度であり、好ましくは３５〜５０度であり、より好ましくは４０〜４５度である。
【００２５】
なお、本実施形態では、要５０の軸心を中心して第２の刃３１に対して第１の刃２１が回転する場合に第１の刃２１が描く軌跡が平面となる。その平面と、せん断力が作用する方向Ｐｃに延びる直線とは平行である。
【００２６】
続いて、図６を用いて、本実施形態に係る鋏１０の使用方法について説明する。図６には、使用者が右手ＲＨで鋏１０を持ち、ヘアカット対象者の毛髪ＨＲを左手ＬＨの人差し指及び中指で挟んでいる状態を示す。
【００２７】
第１の指掛け環２４に親指を掛け、第２の指掛け環３４に薬指を掛け、第２の小指掛け部３５に小指を掛け、人差し指及び中指を第２の柄部３３に沿える。この状態で、第１の指掛け環２４及び第２の指掛け環３４を近づけたり離したりするように親指を動かすことにより、要５０の軸心を中心して第１の刃２１と第２の刃３１とが開閉される。その結果、第１の刃２１と第２の刃３１とに挟まれた毛髪がカットされる。
【００２８】
次に、図５を用いて、本実施形態に係る鋏１０の製造方法について説明する。本実施形態に係る鋏１０は、図５（ａ）に示す第１の刃形成部材６０及び第１の把持部材６１と、図５（ｂ）に示す第２の刃形成部材７０及び第２の把持部材７１とを用いて製造される。
【００２９】
第１の刃形成部材６０は、長尺形状をなし、第１の連結部２２を含む部材である。第１の把持部材６１は、第１の指掛け環２４、第１の指掛け環２４と一体化されている第１の柄部２３及び第１の小指掛け部２５からなる部材である。第２の把持部材７１は、長尺形状をなし、第２の連結部３２を含む部材である。第２の把持部材７１は、第２の指掛け環３４、第２の指掛け環３４と一体化されている第２の柄部３３及び第２の小指掛け部３５からなる部材である。
【００３０】
なお、各刃形成部材６０，７０と各把持部材６１，７１とが別部材とされているのは、例えば、刃形成部材と把持部材とで材質が異なるためである。例えば、刃形成部材の材質は、マルテンサイト系ステンレス鋼であり、柄部の材質は、オーステナイト系ステンレス鋼である。
【００３１】
鋏１０の製造工程について説明すると、第１の刃形成部材６０をその刃先側とは反対側から見た場合において、第１の刃形成部材６０の第１の裏すき２７が形成される面に対して、上記所定角度θだけ反時計回り方向に第１の指掛け環２４が傾斜した状態となるように、第１の刃形成部材６０と第１の柄部２３とを溶接する。これにより、第１の鋏片２０を製造する。第１の刃形成部材６０と第１の柄部２３との溶接部分が、第１の鋏片２０の長手方向における途中位置において、それより先端側とそれより基端側とを一体化するために溶接されてなる溶接部となる。この溶接部において、第１曲げ部２３ａは形成されている。
【００３２】
第２の刃形成部材７０をその刃先側とは反対側から見た場合において、第２の刃形成部材７０の第２の裏すき３７が形成される面に対して、所定角度θだけ反時計回り方向に第２の指掛け環３４が傾斜した状態となるように、第２の刃形成部材７０と第２の柄部３３とを溶接する。これにより、第２の鋏片３０を製造する。第２の刃形成部材７０と第２の柄部３３との溶接部分が、第２の鋏片３０の長手方向における途中位置において、それより先端側とそれより基端側とを一体化するために溶接されてなる溶接部となる。この溶接部において、第２曲げ部３３ａは形成されている。
【００３３】
製造した第１の鋏片２０に、例えば研磨加工により、第１の刃２１及び第１の裏すき２７を形成する。製造された第２の鋏片３０に、例えば研磨加工により、第２の刃３１及び第２の裏すき３７を形成する。
【００３４】
第１の指掛け環２４と第２の指掛け環３４とが、これらの環状部分の開口部が同じ方向に向けられた状態で同一の所定平面Ｐｏの上にあるように、第１の連結部２２と第２の連結部３２とを要５０により連結する。上述した工程を含む鋏１０の製造工程により、第１の刃２１と第２の刃３１とによるせん断力が作用する方向Ｐｃに対して、各鋏片２０，３０の長手方向にみて所定平面Ｐｏが所定角度θだけ傾斜する構成が実現される。
【００３５】
以上説明した本実施形態によれば、以下の効果が得られる。
【００３６】
第１の指掛け環２４と第２の指掛け環３４とは、これらの環状部分の開口部が同じ方向に向けられた状態で同一の所定平面Ｐｏの上にある。その同一の所定平面Ｐｏは、第１の刃２１と第２の刃３１とによるせん断力が作用する方向Ｐｃに対して、各鋏片２０，３０の長手方向にみて所定角度θだけ傾斜している。この傾斜している構成によれば、鋏１０の使用者が手のひらを自分の方に向けるために手首をひねる場合において、そのひねり量を、上記所定角度θに応じた分だけ少なくすることができる。これにより、鋏１０の使用者の疲労を軽減することができる。
【００３７】
鋏１０の製造工程において、第１の刃形成部材６０の第１の裏すき２７が形成される面に対して、所定角度θだけ第１の指掛け環２４の開口面が傾斜した状態となるように、第１の刃形成部材６０を第１の柄部２３に溶接する。また、第２の刃形成部材７０の第２の裏すき３７が形成される面に対して、所定角度θだけ第２の指掛け環３４の開口面が傾斜した状態となるように、第２の刃形成部材７０を第２の柄部３３に溶接する。
【００３８】
このような溶接工程の後、第１の鋏片２０と第２の鋏片３０とを要５０により連結すると、第１の指掛け環２４と第２の指掛け環３４とは、これらの環状部分の開口部が同じ方向に向けられた状態で同一の所定平面Ｐｏの上にある。その同一の所定平面Ｐｏは、第１の刃２１と第２の刃３１とによるせん断力が作用する方向Ｐｃに対して、各鋏片２０，３０の長手方向にみて所定角度θだけ傾斜することとなる。このように、本実施形態によれば、第１の鋏片２０及び第２の鋏片３０を製造するための溶接工程を利用して、使用者の疲労を軽減できる鋏１０を製造することができる。
【００３９】
なお、上記実施形態は、以下のように変更して実施してもよい。
【００４０】
・鋏１０の製造工程において、第１の刃形成部材及び第１の把持部材が一体化された部材と、第２の刃形成部材及び第２の把持部材が一体化された部材とを用いてもよい。この場合、第１の鋏片を例にして説明すると、せん断力が作用する方向Ｐｃに対して、各鋏片２０，３０の長手方向にみて所定角度θだけ所定平面Ｐｏを傾斜させるために、第１の刃形成部材及び第１の把持部材が一体化された部材を曲げ工程により曲げる。この曲げ部分が、第１の柄部が長手方向における途中位置において曲げられた第１の曲げ部となる。
【００４１】
・第１，第２の刃としては、笹刃に限らず、例えば直刃であってもよい。
【００４２】
・理美容用鋏としては、例えば、セニングシザーや、要の軸心方向に刃先部分が湾曲したカーブシザーであってもよい。
【符号の説明】
【００４３】
１０…鋏、２０…第１の鋏片、２１…第１の刃、２３…第１の柄部、２４…第１の指掛け環、３０…第２の鋏片、３１…第２の刃、３３…第２の柄部、３４…第２の指掛け環。
【図１】
2020054706.tif 000003
【図２】
2020054706.tif 000004
【図３】
2020054706.tif 000005
【図４】
2020054706.tif 000006
【図５】
2020054706.tif 000007
【図６】
2020054706.tif 000008
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
長尺形状をなし、先端側に第１の刃が形成され、基端側に第１の指掛け環が形成された第１の鋏片と、
長尺形状をなし、先端側に第２の刃が形成され、基端側に第２の指掛け環が形成された第２の鋏片と、
前記第１の鋏片における前記第１の刃及び前記第１の指掛け環の間と、前記第２の鋏片における前記第２の刃及び前記第２の指掛け環の間とを連結する連結軸部と、
を備え、
前記第１の鋏片において、前記連結軸部と前記第１の指掛け環との間に第１の柄部が形成されており、
前記第２の鋏片において、前記連結軸部と前記第２の指掛け環との間に第２の柄部が形成されており、
前記第１の指掛け環と前記第２の指掛け環とは、これらの環状部分の開口部が同じ方向に向けられた状態で同一の所定平面上にあり、
前記第１の指掛け環と前記第２の指掛け環とを前記連結軸部を中心に開閉することにより、前記第１の刃と前記第２の刃とが開閉して、前記第１の刃と前記第２の刃とによるせん断力によって毛髪を切断し、
前記各柄部が前記各鋏片の長手方向における途中位置において曲げられた曲げ部を備えていることにより、前記第１の刃と前記第２の刃とによるせん断力が作用する方向に対して、前記各鋏片の長手方向にみて前記所定平面が所定角度だけ傾斜している理美容用鋏の製造方法において、
第１の刃形成部材のうち第１の裏すき面が形成される面に対して前記第１の指掛け環を前記所定角度だけ傾斜させた状態で、前記第１の柄部と前記第１の刃形成部材とを溶接することにより、前記第１の刃形成部材と前記第１の柄部との溶接部分において前記曲げ部が形成された前記第１の鋏片を製造する工程と、
第２の刃形成部材のうち第２の裏すき面が形成される面に対して前記第２の指掛け環を前記所定角度だけ傾斜させた状態で、前記第２の柄部と前記第２の刃形成部材とを溶接することにより、前記第２の刃形成部材と前記第２の柄部との溶接部分において前記曲げ部が形成された前記第２の鋏片を製造する工程と、
前記第１の指掛け環と前記第２の指掛け環とが、これらの環状部分の開口部が同じ方向に向けられた状態で前記所定平面上にあるように、前記第１の鋏片と前記第２の鋏片とを前記連結軸部により連結する工程と、
を備えることを特徴とする理美容用鋏の製造方法。
【手続補正３】
【補正対象書類名】明細書
【補正対象項目名】０００１
【補正方法】変更
【補正の内容】
【０００１】
本発明は、理美容用鋏の製造方法に関するものである。
【手続補正４】
【補正対象書類名】明細書
【補正対象項目名】０００７
【補正方法】変更
【補正の内容】
【０００７】
本発明は、手のひらを使用者自身の方に向けた状態で理美容用鋏を持つ場合において、使用者の疲労を軽減できる理美容用鋏の製造方法を提供することを目的とする。